(57)【特許請求の範囲】
【請求項１】
屋根架構を構築するために傾斜して架け渡される斜材と、該斜材を下方から支持する横架材と、中空角柱とその側方に張り出すフランジとからなる押出形材を切除して形成した接合部材とを備える斜材と横架材との接合構造であって、
前記接合部材は、前記フランジの上部を切除して形成した固定部と、前記中空角柱の上部を前記斜材の長手方向の傾きに合せて切除して形成した凸部とを備え、
前記固定部は、前記横架材の側面に固定され、
前記凸部は、前記横架材よりも上方に突出し、
前記斜材は、下面が開口した断面溝形の溝部を有する金属形材からなり、前記溝部に嵌合された前記凸部に固定されることを特徴とする斜材と横架材との接合構造。
【請求項２】
前記接合部材の凸部の上部は、前記溝部と同一の断面形状を有し、
前記凸部の上面は、前記斜材の長手方向に前記斜材と同じ傾きを有することを特徴とする請求項１に記載の斜材と横架材との接合構造。
【請求項３】
前記斜材の溝部は、その下端部の内幅が拡幅されていることを特徴とする請求項１又は請求項２に記載の斜材と横架材との接合構造。
【請求項４】
前記斜材は、アルミニウム合金製の押出形材からなることを特徴とする請求項１乃至請求項３のいずれか一項に記載の斜材と横架材との接合構造。
【請求項５】
前記接合部材は、アルミニウム合金製の押出形材からなることを特徴とする請求項１乃至請求項４のいずれか一項に記載の斜材と横架材との接合構造。
【請求項６】
屋根架構を構築するために傾斜して架け渡される斜材と該斜材を下方から支持する横架材とを接合するための接合部材であって、
中空角柱とその側方に張り出すフランジとからなる押出形材からなり、
前記フランジの上部を切除して形成した固定部と、
前記中空角柱の上部を前記斜材の長手方向の傾きに合せて切除して形成した凸部とを備え、
前記固定部は、前記横架材の側面に固定され、
前記凸部は、前記横架材よりも上方に突出することを特徴とする接合部材。
【発明の詳細な説明】
【０００１】
【発明の属する技術分野】
本発明は、屋根架構を構築するために傾斜して架け渡される斜材と該斜材を下方から支持する横架材との交差部における斜材と横架材との接合構造および接合部材に関する。
【０００２】
【従来の技術】
近年の建築基準法の仕様規定から性能規定への改正に起因して、強度の割に軽量で、腐食しにくく、加工やユニット化が容易であるという特徴をもったアルミニウム合金製の押出形材を木造建物の屋根架構の骨組材として用いる試みがある。
【０００３】
ところで、屋根架構を構築するために傾斜して架け渡される斜材（木造建物における垂木や隅木に相当する部材）と、斜材を支持する横架材（木造建物における軒げたや母屋などに相当する部材）とを接合させる場合には、例えば、木造建物であれば、垂木（斜材）を受けるために軒げた（横架材）に切り欠きを形成するか、あるいは垂木に切り欠きを形成し、さらにひねり金物などを併用して接合されている。
【０００４】
【発明が解決しようとする課題】
しかしながら、斜材を金属形材により構成した場合には、木材ほどは容易に切り込みを入れることができない。また、断面が密実な木材を切り欠くのとは異なり、溝形やＨ形の金属形材に切り込みを設けると強度が著しく低下するので建物の耐力確保という観点からも好ましくない。
【０００５】
したがって、これらの部材を接合するには、何らかの接合部材を用いることになるが、接合部材およびこれを用いた接合構造については、作業効率の向上やコスト削減を図るために簡易な構成であることが望まれ、一方、屋根荷重を斜材から横架材へ確実に伝達できるように、さらには風圧力などに耐えられるように、強固に接合しうる構成であることが要求される。
【０００６】
本発明はこのような事情に鑑みてなされたものであり、その目的とするところは、屋根架構を構築するために傾斜して架け渡される斜材と該斜材を下方から支持する横架材との交差部における斜材と横架材との接合構造であって、容易にかつ確実に接合することのできる斜材と横架材との接合構造を提案する点にある。
【０００７】
【課題を解決するための手段】
本発明の請求項１に係る斜材と横架材との接合構造は、屋根架構を構築するために傾斜して架け渡される斜材と、該斜材を下方から支持する横架材と、中空角柱とその側方に張り出すフランジとからなる押出形材を切除して形成した接合部材とを備える斜材と横架材との接合構造であって、前記接合部材は、前記フランジの上部を切除して形成した固定部と、前記中空角柱の上部を前記斜材の長手方向の傾きに合せて切除して形成した凸部とを備え、前記固定部は、前記横架材の側面に固定され、前記凸部は、前記横架材よりも上方に突出し、前記斜材は、下面が開口した断面溝形の溝部を有する金属形材からなり、前記溝部に嵌合された前記凸部に固定されることを特徴とする。
【０００８】
かかる斜材と横架材との接合構造によれば、下面が開口した溝部を有する金属形材からなる斜材を、横架材に固定された接合部材の凸部の上方から覆い被せるようにして溝部に凸部を嵌合させ、この凸部に対して斜材を固定するだけの簡易な接合構造であるため、作業性がよい。また、金属形材には切り込みなどが不要であるため、強度が低下することはない。
【０００９】
本発明の請求項２に係る斜材と横架材との接合構造は、請求項１に記載の斜材と横架材との接合構造であって、前記接合部材の凸部の上部は、前記溝部と同一の断面形状を有し、前記凸部の上面は、前記斜材の長手方向に前記斜材と同じ傾きを有することを特徴とする。
【００１０】
かかる斜材と横架材との接合構造によれば、接合部材の上面が、斜材の溝部に当接するため、斜材をより安定させた状態で接合部材に固定することができ、すなわち、斜材と横架材とをより確実に接合させることができる。
【００１１】
本発明の請求項３に係る斜材と横架材との接合構造は、請求項１又は請求項２に記載の斜材と横架材との接合構造であって、前記斜材の溝部は、その下端部の内幅が拡幅されていることを特徴とする。
【００１２】
かかる斜材と横架材との接合構造によれば、斜材の溝部の下端部の内幅が拡幅されているので、溝部を容易に凸部に嵌合させることができる。
【００１３】
本発明の請求項４に係る斜材と横架材との接合構造は、請求項１乃至請求項３のいずれか一項に記載の斜材と横架材との接合構造であって、前記斜材は、アルミニウム合金製の押出形材からなることを特徴とする。
【００１４】
請求項４の斜材と横架材との接合構造によれば、斜材がアルミニウム合金製の押出形材により構成されるので、斜材の製作が容易になるとともに、強度の割に軽量で、腐食しにくいというアルミニウム合金のメリットを活かすことができる。
【００１５】
本発明の請求項５に係る斜材と横架材との接合構造は、請求項１乃至請求項４のいずれか一項に記載の斜材と横架材との接合構造であって、前記接合部材は、アルミニウム合金製の押出形材からなることを特徴とする。
【００１６】
請求項５の斜材と横架材との接合構造によれば、接合部材がアルミニウム合金製の押出形材により構成されるので、接合部材の製作が容易になるとともに、強度の割に軽量で、腐食しにくいというアルミニウム合金のメリットを活かすことができる。
【００１７】
【発明の実施の形態】
以下、本発明の実施の形態を添付した図面を参照しながら詳細に説明する。なお、以下の説明においては、同一の要素には同一の符号を付し、重複する説明は省略する。
【００１８】
本発明は、屋根架構を構築するために傾斜して架け渡される金属形材からなる斜材とその斜材を下方から支持する横架材との交差部における斜材と横架材との接合構造に関するものであり、例えば、図１２に示すような屋根架構においては、斜材１１〜１６と横架材２１との各交差部において適用することができる。なお、図１２には各接合構造の詳細は図示していない。
【００１９】
ここで、屋根架構を構築するために傾斜して架け渡される斜材とは、図１２に示すような屋根架構においては、木造建物における垂木やトラス方式の小屋組における上弦材に相当する斜材１１、隅木に相当する斜材１２および斜材１４、屋根の谷部に配設される谷木に相当する斜材１３、妻垂木に相当する斜材１５、隅木の側面に取り付けられる配付け垂木に相当する斜材１６を意味し、斜材を下方から支持する横架材とは、軒げたに相当する木製の横架材２１や母屋に相当する横架材（図示せず）などを意味する。
【００２０】
（第１の実施形態）
第１の実施形態に係る接合構造１は、図１（ａ）（ｂ）に示すように、木造建物における垂木に相当する斜材１１（図１２参照）と、これを下方から支持する横架材２１と、これらを接合するための接合部材３１とから構成される。なお、本実施形態では、妻垂木に相当する斜材１５あるいは配付け垂木に相当する斜材１６（図１２参照）も斜材１１と同一の形状なので、接合部材３１により横架材２１との接合が可能である。
【００２１】
斜材１１は、下面が開口した断面溝形の溝部１１ａと、その下端から側方に張り出す張出部１１ｂとを有する金属形材からなる。張出部１１ｂは、斜材１１の断面性能を向上させるとともに、屋根下地材などを設置する際に利用される。また、斜材１１の側面には、接合部材３１と接合するためのボルトＢ２が挿通されるボルト挿通孔１１ｃが形成されている。さらに、図１０（ａ）に示すように、溝部１１ａの下端部１１ｄの肉厚を薄く形成することにより、溝部１１ａの内幅を拡幅している。なお、図１０（ｂ）に示すように、必要に応じて補強板１１ｅを配置して、斜材１１の剛性を向上させてもよい。
【００２２】
斜材１１は、好適にはアルミニウム合金製の押出形材からなるが、これに限定されることはなく、Ｈ形鋼や溝形鋼などを利用してもよい。
【００２３】
横架材２１は、本実施形態では、木材からなるが、アルミニウム合金製の押出形材のほかＨ形鋼や溝形鋼などの金属形材であってもよい。また、本実施形態では、接合部材３１の固定位置に合わせて、ボルトＢ１が挿通されるボルト挿通孔２１ａが形成されている。
【００２４】
接合部材３１は、横架材２１の上面に固定される固定部３１ｂと、これに立設される中空角柱形状の凸部３１ａとを有する。凸部３１ａは、横架材２１の上面よりも上方に突出するとともに、斜材１１の溝部１１ａへ下方から嵌合可能である。すなわち、凸部３１ａの上部は、溝部１１ａの下端部１１ｄよりも上方の内面と同一の断面形状を有する。また、凸部３１ａの上面は、斜材１１の長手方向に斜材１１と同じ傾きを持つように形成されている。さらに、斜材１１と接合するためのボルトＢ２が挿通されるボルト挿通孔３１ｃが凸部３１ａに、横架材２１と固定するためのボルトＢ１が挿通されるボルト挿通孔３１ｄが固定部３１ｂにそれぞれ形成されている。
【００２５】
接合部材３１は、好適にはアルミニウム合金製の鋳物からなり、砂型鋳造法や金型鋳造法などにより製造される。また、アルミニウム合金製の押出形材に切断や折曲加工を適宜施して製作してもよいし、Ｈ形鋼や溝形鋼などを利用してもよい。
【００２６】
以下で、前記した各部材を組み合わせて接合構造１を構築する手順について説明する。まず、斜材１１と横架材２１とが交差する部位において、接合部材３１の固定部３１ｂをボルトＢ１とナットＮとにより横架材２１の上面に強固に固定する。次に、斜材１１を、接合部材３１の凸部３１ａの上方から覆い被せるようにして溝部１１ａに凸部３１ａを嵌合させる。このとき、溝部１１ａの下端の内幅が拡幅され、凸部３１ａよりも広がっているので、斜材１１を凸部３１ａへ容易に嵌め込むことができる。さらに、凸部３１ａの上部は、溝部１１ａの内面と同一の断面形状を有するとともに、その上面は、斜材１１の傾きと等しい傾きを持つように形成されているので、接合部材３１を溝部１１ａに嵌め込んだ際に、凸部３１ａの上面が、溝部１１ａに当接する。そして、斜材１１のボルト挿通孔１１ｃと接合部材３１のボルト挿通孔３１ｃの位置を合わせた後に、ボルトＢ２を挿通し、これとナットＮとにより斜材１１と接合部材３１とを強固に固定する。
【００２７】
このように、接合構造１は、斜材１１、横架材２１および接合部材３１の形状および構成が単純であり、また、組み立て手順も簡易なので、斜材１１と横架材２１とを容易にかつ確実に接合することができる。さらに、凸部３１ａの上面が、溝部１１ａに当接するので、斜材１１と接合部材３１との位置合わせが容易になるとともに、斜材１１は、接合部材３１によって安定して支持される。また、斜材１１あるいは横架材２１に切り込みを入れる必要がないため、接合部において強度が低下することはない。したがって、接合構造１によれば、斜材１１と横架材２１とを強固に接合することができる。
【００２８】
また、斜材１１としてアルミニウム合金製の押出形材を利用し、接合部材３１をアルミニウム合金製の鋳物とすることにより、これらの製作が容易になるとともに、強度の割に軽量で、腐食しにくいといったアルミニウム合金の特徴を活かした接合構造１を構成することができる。
【００２９】
なお、本発明に係る接合構造は、前記した実施形態に限定されることはなく、斜材の断面形状や斜材と横架材との交差位置などによって適宜変更可能である。以下に、変形例を示す。なお、以下の各接合構造を構成する手順は第１の実施形態と同様であるので詳細は省略する。
【００３０】
（第２の実施形態）
第２の実施形態に係る接合構造２は、図２に示すように、木造建物における隅木に相当する斜材１２（図１２参照）と横架材２１とを接合部材３２により接合するものである。
【００３１】
斜材１２は、下面が開口した断面溝形の溝部１２ａと、その下端から側方に延出する張出部１２ｂとを有する。また、図１０（ｃ）に示すように、溝部１２ａの下端部１２ｄの肉厚を薄く形成することにより、溝部１２ａの内幅を拡幅している。なお、斜材１２は屋根の隅棟に用いられるため、斜材１２の上面は、断面逆Ｖ字形状に形成されている。さらに、張出部１２ｂは、斜材１２の上面と断面方向に同じ傾きを持つように形成されている。また、図１０（ｄ）に示すように、必要に応じて補強板１２ｅを配置してもよい。
【００３２】
接合部材３２は、横架材２１よりも上方に突出する凸部３２ａとその下端から側方に延出する固定部３２ｂとを有する。また、凸部３２ａの上部は、溝部１２ａの下端部１２ｄよりも上方の内面と同一の断面形状を有し、溝部１２ａに嵌合可能である。さらに、凸部３２ａの上面は、斜材１２と同様に、断面逆Ｖ字形状に形成されるとともに、斜材１２の長手方向に斜材１２と同じ傾きを持つように形成されている。なお、斜材１２が補強板１２ｅ（図１０（ｄ）参照）を有する場合には、凸部３２ａの上面は、補強板１２ｅに当接するように平面に形成される。
【００３３】
接合構造２は建物の隅角部に形成されるため、図２に示すように、接合部材３２は、直角に交わる横架材２１，２１に架け渡すように固定されている。なお、どちらか一方の横架材２１に固定してもよい。
【００３４】
（第３の実施形態）
第３の実施形態に係る接合構造３は、図３に示すように、屋根の谷部に配設される谷木に相当する斜材１３と、これを下方から支持する横架材２１とを接合部材３３により接合するものである。
【００３５】
斜材１３は、下面が開口した断面溝形の溝部１３ａと、その下端から側方に延出する張出部１３ｂとを有する。また、図１０（ｅ）に示すように、溝部１３ａの下端部１３ｄの肉厚を薄く形成して、溝部１３ａの下端の内幅を拡幅している。なお、斜材１３は屋根の谷部に用いられるため、斜材１３の上面は、断面Ｖ字形状に形成されている。さらに、張出部１３ｂは、斜材１３の上面と断面方向に同じ傾きを持つように形成されている。また、図１０（ｆ）に示すように、必要に応じて補強板１３ｅを配置してもよい。
【００３６】
接合部材３３は、横架材２１よりも上方に突出する凸部３３ａとその下端から側方に延出する固定部３３ｂとを有する。また、凸部３３ａの上部は、溝部１３ａの下端部１３ｄよりも上方の内面と同一の断面形状を有し、溝部１３ａに嵌合可能である。さらに、凸部３３ａの上面は、斜材１３と同様に、断面Ｖ字形状に形成されるとともに、斜材１３の長手方向に斜材１３と同じ傾きを持つように形成されている。また、接合部材３３は、直角に交わる横架材２１，２１に架け渡すように固定されている。なお、どちらか一方の横架材２１に固定してもよい。
【００３７】
（第４の実施形態）
第４の実施形態に係る接合構造４は、横架材２１と上面視して斜交する斜材１４（図１２参照）と横架材２１とを接合部材３４により接合するものである。
【００３８】
斜材と横架材とが直交しない場合であっても、図４に示すように、接合部材３４の凸部３４ａを斜材１４の長手方向に合わせて形成すれば、これらを容易にかつ確実に接合することができる。また、このような形状の接合部材３４は、アルミニウム合金を鋳造することにより、容易に製作することができる。
【００３９】
（第５の実施形態）
前記した各実施形態においては、各接合部材は横架材２１の上面に固定される構成であったが、以下の実施形態で示すように、横架材２１の側面に固定される構成であってもよい。
【００４０】
第５の実施形態に係る接合構造５は、第１の実施形態の接合構造１における接合部材３１に替えて、図５（ａ）（ｂ）に示すように、横架材２１の側面に固定される接合部材３５を用いるものである。
【００４１】
接合部材３５は、横架材２１よりも上方に突出した部分を凸部３５ａとする中空角柱からなり、その下部より側方に張り出した固定部３５ｂにより横架材２１の側面に固定されている。また、凸部３５ａの上部は斜材１１の溝部１１ａの下端部１１ｄよりも上方の内面と同一の断面形状を有し、溝部１１ａに嵌合可能である。また、凸部３５ａの上面は、斜材１１の長手方向に斜材１１と同じ傾きを持つように形成されている。さらに、斜材１１と接合するためのボルトが挿通されるボルト挿通孔３５ｃが凸部３５ａに、横架材２１と固定するためのボルトＢ１が挿通されるボルト挿通孔３５ｄが固定部３５ｂにそれぞれ形成されている。
【００４２】
そして、接合部材３５は、図１１（ａ）に示すように、中空角柱４０ａと、その側方に張り出すフランジ４０ｂとからなるアルミニウム合金製の押出形材４０を利用して製作することができる。すなわち、図１１（ｂ）に示すように、固定部３５ｂはフランジ４０ｂの上方（点線部分）を切除することで形成され、凸部３５ａは中空角柱４０ａの上部を斜材１１の長手方向の傾きに合わせて切除することで形成される。
【００４３】
したがって、アルミニウム合金製の押出形材を利用することにより、接合部材３５を容易に製作することができるとともに、強度の割に軽量で、腐食しにくいといった特徴を有する接合構造５を構成することができる。なお、接合部材３５をアルミニウム合金製の鋳物としてもよい。
【００４４】
（第６の実施形態）
第６の実施形態に係る接合構造６は、第２の実施形態の接合構造２における接合部材３２に替えて、図６（ａ）（ｂ）に示すように、横架材２１の側面に固定される接合部材３６を用いるものである。
【００４５】
接合部材３６は、横架材２１よりも上方に突出した部分を凸部３６ａとする中空角柱からなり、その下部より側方に張り出した固定部３６ｂ，３６ｂにより横架材２１，２１のそれぞれの側面に固定されている。また、凸部３６ａは斜材１２の溝部１２ａに嵌合可能である。なお、図６（ｂ）に示すように、固定部３６ｂは、凸部３６ａの側面と上面視して所定の角度で張り出されるが、この角度は、隅角部の交差角や斜材１２の方向などに合わせて決定される。
【００４６】
そして、接合部材３６は、接合部材３５と同様に、アルミニウム合金製の押出形材を利用して製作することができる。なお、図６（ｂ）に示すような断面形状をもつ押出形材を利用してもよいし、前記の押出形材４０を利用して、ロール矯正などにより固定部３６ｂを適宜な角度に折り曲げてもよい。
【００４７】
（第７の実施形態）
第７の実施形態に係る接合構造７は、第３の実施形態の接合構造３における接合部材３３に替えて、図７（ａ）（ｂ）に示すように、横架材２１の側面に固定される接合部材３７を用いるものである。接合部材３７は、横架材２１よりも上方に突出した部分を凸部３７ａとする中空角柱からなり、その下部より側方に張り出した固定部３７ｂ，３７ｂにより横架材２１，２１のそれぞれの側面に固定されている。また、凸部３７ａは斜材１３の溝部１３ａに嵌合可能である。また、接合部材３７もアルミニウム合金製の押出形材を利用して製作することができる。
【００４８】
（第８の実施形態）
第８の実施形態に係る接合構造８は、第４の実施形態の接合構造４における接合部材３４に替えて、図８（ａ）（ｂ）に示すように、横架材２１の側面に固定される接合部材３８を用いるものである。接合部材３８は、横架材２１よりも上方に突出した部分を凸部３８ａとする中空角柱からなり、その下部より側方に張り出した固定部３８ｂ，３８ｂにより横架材２１の側面に固定されている。また、凸部３８ａは斜材１１の溝部１１ａに嵌合可能である。また、接合部材３８もアルミニウム合金製の押出形材を利用して製作することができる。
【００４９】
（第９の実施形態）
前記の各実施形態では、接合部材の上面は、斜材の長手方向に斜材と同じ傾きを有しているが、これは必ずしも必須ではない。すなわち、図９に示すような接合構造９のように、接合部材３９の凸部３９ａが溝部１２ａに嵌合可能であれば、凸部３９ａの上面は、斜材１２と同じ傾きでなくてもよい。このような構成の接合部材３９は、その製作がより簡易になる。
【００５０】
なお、前記の各実施形態では、斜材と接合部材と、あるいは接合部材と横架材とをボルトにより固定した例を示したが、これに限定されることはなく、溶接その他の方法により固定してもよい。
【００５１】
また、接合部材は、横架材を架け渡した後に固定してもよいが、工場などにおいて予め横架材の所定の位置に固定してあってもよい。
【００５２】
【発明の効果】
本発明の斜材と横架材との接合構造によれば、下面が開口した溝部を有する金属形材からなる斜材を、横架材に固定された接合部材の凸部の上方から覆い被せるようにして溝部に凸部を嵌合させ、この凸部に対して斜材を固定するだけの簡易な接合構造であるため、接合作業を容易にかつ確実に行うことができる。加えて、斜材や横架材には切り欠きが不要なので、強度が低下することはないので、強固な接合構造を構成することができる。
【００５３】
また、斜材がアルミニウム合金製の押出形材で構成され、接合部材がアルミニウム合金製の押出形材により構成されるので、これらの部材の製作が容易になるとともに、強度の割に軽量で、腐食しにくいというアルミニウム合金のメリットを活かすことができる。
【図面の簡単な説明】
【図１】  （ａ）は第１の実施形態に係る斜材と横架材との接合構造の分解斜視図、（ｂ）は組付け状態を示す斜視図である。
【図２】  第２の実施形態に係る斜材と横架材との接合構造の斜視図である。
【図３】  第３の実施形態に係る斜材と横架材との接合構造の斜視図である。
【図４】  第４の実施形態に係る斜材と横架材との接合構造の斜視図である。
【図５】  （ａ）は第５の実施形態に係る斜材と横架材との接合構造の斜視図、（ｂ）は同上面図である。
【図６】  （ａ）は第６の実施形態に係る斜材と横架材との接合構造の斜視図、（ｂ）は同上面図である。
【図７】  （ａ）は第７の実施形態に係る斜材と横架材との接合構造の斜視図、（ｂ）は同上面図である。
【図８】  （ａ）は第８の実施形態に係る斜材と横架材との接合構造の斜視図、（ｂ）は同上面図である。
【図９】  第９の実施形態に係る斜材と横架材との接合構造の側面図である。
【図１０】  斜材の断面図である。
【図１１】  （ａ）は接合部材を製作するための押出形材を示す斜視図、（ｂ）は（ａ）の押出形材を利用して製作した接合部材を示す斜視図である。
【図１２】  本発明の接合構造が適用される屋根架構を示す斜視図である。
【符号の説明】
１〜９      接合構造
１１〜１６  斜材
２１        横架材
３１〜３９  接合部材
１１ａ      溝部
３１ａ      凸部
Ｂ１，Ｂ２  ボルト
Ｎ          ナット
【図１】
0003763074.tif 000002
【図２】
0003763074.tif 000003
【図３】
0003763074.tif 000004
【図４】
0003763074.tif 000005
【図５】
0003763074.tif 000006
【図６】
0003763074.tif 000007
【図７】
0003763074.tif 000008
【図８】
0003763074.tif 000009
【図９】
0003763074.tif 000010
【図１０】
0003763074.tif 000011
【図１１】
0003763074.tif 000012
【図１２】
0003763074.tif 000013